(57)【特許請求の範囲】
【請求項１】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷が、前記空間が閉鎖空間である場合とは異なる状態であるか否かに基づいて、前記空間が開放空間となっているため、前記除湿負荷が過剰であるか否かを判定する除湿負荷過剰判定部と、
前記除湿負荷過剰判定部によって、前記空間が開放空間となっているため、前記除湿負荷が過剰であると判定された場合、前記除湿負荷が過剰である旨を提示する提示部と、を備えることを特徴とする空調機。
【請求項２】
請求項１に記載の空調機であって、
前記空調運転で発生したドレン水量を取得するドレン水量取得部を備え、
前記除湿負荷算出部は、前記ドレン水量取得部が取得したドレン水量と前記湿度計測部が計測した湿度に基づいて、前記空調運転を実施した前記空間の容量を示す実測空間容量を前記除湿負荷として算出することを特徴とする空調機。
【請求項３】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記除湿負荷過剰判定部は、前記除湿負荷算出部が算出した実測空間容量と、前記空調機の本来の空調容量とを比較して、前記除湿負荷が過剰であるか否かを判定することを特徴とする空調機。
【請求項４】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記除湿負荷算出部は、
前記湿度計測部が第１時刻で計測した第１湿度に基づく前記第１時刻の前記空調運転を実施する空間に含まれる第１水分量と、前記湿度計測部が前記第１時刻より後の第２時刻で計測した第２湿度に基づく前記第２時刻の前記空調運転を実施する空間に含まれる第２水分量との差分を算出し、
前記算出した差分と、前記第１時刻から前記第２時刻までの間に発生したドレン水量とに基づいて、前記実測空間容量を算出することを特徴とする空調機。
【請求項５】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、
履歴判定部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記履歴判定部は、前記除湿負荷算出部が算出した前記実測空間容量の時系列変化に基づいて、前記空調機の経年劣化を検出することを特徴とする空調機。
【請求項６】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、
履歴判定部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記履歴判定部は、前記除湿負荷過剰判定部が、前記除湿負荷が過剰であることを判定した頻度に基づいて、前記空調機の容量と前記空調運転を実施する空間の容量とが不適切である旨を検出することを特徴とする空調機。
【請求項７】
冷房又は除湿で空調運転を実施する空調機であって、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調機が有する圧縮機の運転状態を取得する圧縮機運転状態取得部と、を備え、
前記除湿負荷算出部は、前記圧縮機運転状態取得部が取得した圧縮機の運転状態と前記湿度計測部が計測した湿度に基づいて、前記空調運転を実施した空間の湿度の変化を前記除湿負荷として算出することを特徴とする空調機。
【請求項８】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷が、前記空間が閉鎖空間である場合とは異なる状態であるか否かに基づいて、前記空間が開放空間となっているため、前記除湿負荷が過剰であるか否かを判定する除湿負荷過剰判定部と、
前記除湿負荷過剰判定部によって、前記空間が開放空間となっているため、前記除湿負荷が過剰であると判定された場合、前記除湿負荷が過剰である旨を提示する提示部と、を備えることを特徴とする空調システム。
【請求項９】
請求項８に記載の空調システムであって、
前記空調運転で発生したドレン水量を取得するドレン水量取得部を備え、
前記除湿負荷算出部は、前記ドレン水量取得部が取得したドレン水量と前記湿度計測部が計測した湿度に基づいて、前記空調運転を実施した前記空間の容量を示す実測空間容量を前記除湿負荷として算出することを特徴とする空調システム。
【請求項１０】
請求項８に記載の空調システムであって、
前記制御装置は、ネットワークを介して端末に接続され、
前記除湿負荷過剰判定部によって、前記空間が開放空間となっているため、前記除湿負荷が過剰であると判定された場合、前記除湿負荷が過剰となった旨を前記端末に送信し、
前記端末は、前記除湿負荷が過剰となった旨を提示することを特徴とする空調システム。
【請求項１１】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記除湿負荷過剰判定部は、前記除湿負荷算出部が算出した実測空間容量と、前記空調機の本来の空調容量とを比較して、前記除湿負荷が過剰であるか否かを判定することを特徴とする空調システム。
【請求項１２】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記除湿負荷算出部は、
前記湿度計測部が第１時刻で計測した第１湿度に基づく前記第１時刻の前記空調運転を実施する空間に含まれる第１水分量と、前記湿度計測部が前記第１時刻より後の第２時刻で計測した第２湿度に基づく前記第２時刻の前記空調運転を実施する空間に含まれる第２水分量との差分を算出し、
前記算出した差分と、前記第１時刻から前記第２時刻までの間に発生したドレン水量とに基づいて、前記実測空間容量を算出することを特徴とする空調システム。
【請求項１３】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、
履歴判定部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記履歴判定部は、前記除湿負荷算出部が算出した前記実測空間容量の時系列変化に基づいて、前記空調機の経年劣化を検出することを特徴とする空調システム。
【請求項１４】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調運転で発生したドレン水量を取得するドレン水量取得部と、
履歴判定部と、を備え、
前記除湿負荷算出部は、前記ドレン水量取得部が取得したドレン水量と前記湿度計測部が計測した湿度に基づいて、前記空調運転を実施した空間の容量を示す実測空間容量を前記除湿負荷として算出し、
前記履歴判定部は、前記除湿負荷過剰判定部が、前記除湿負荷が過剰であることを判定した頻度に基づいて、前記空調機の容量と前記空調運転を実施する空間の容量とが不適切である旨を検出することを特徴とする空調システム。
【請求項１５】
冷房又は除湿で空調運転を実施する空調機と、前記空調機を制御する制御装置とを備える空調システムであって、
前記制御装置は、
前記空調運転を実施する空間の湿度を計測する湿度計測部と、
前記湿度計測部が計測した湿度に基づいて、前記空間の水分の除去にかかる負荷を示す除湿負荷を算出する除湿負荷算出部と、
前記除湿負荷算出部によって算出された前記除湿負荷に基づいて、前記除湿負荷が過剰であるか否かを判定する除湿負荷過剰判定部と、
前記除湿負荷過剰判定部によって、前記除湿負荷が過剰であると判定された場合、前記除湿負荷が過剰である旨を提示する提示部と、
前記空調機が有する圧縮機の運転状態を取得する圧縮機運転状態取得部と、を備え、
前記除湿負荷算出部は、前記圧縮機運転状態取得部が取得した圧縮機の運転状態と前記湿度計測部が計測した湿度に基づいて、前記空調運転を実施した空間の湿度の変化を前記除湿負荷として算出することを特徴とする空調システム。
【発明の詳細な説明】
【技術分野】
【０００１】
本発明は、除湿又は冷房で空調運転を実施する空調機に関する。
【背景技術】
【０００２】
近年、省エネに対する意識の高まりで、カメラ、人感センサ、及び赤外線センサ等を搭載し、部屋の様子及び人の状態に応じて効率的な運転を実施する空調機、及びユーザに省エネ情報を提示する空調機等が数多く紹介されている。
【０００３】
本技術分野の背景技術として、特開２０１０−２８６２０８号公報（特許文献１）及び特開２００８−９６００２号公報（特許文献２）がある。
【０００４】
特許文献１の公報には、「この発明に係る空気調和機は、温度検出対象範囲を左右に走査して温度検出対象の温度を検出する赤外線センサと、赤外線センサによりユーザーや発熱機器の存在を検知して、空気調和機の制御を司る制御部とを備え、制御部は、熱画像取得部と、床壁検知部と、温度条件判定部と、窓状態検知部と、ユーザーが気が付きにくい又はわからない省エネ情報をユーザーに伝えることで、ユーザーの省エネ行動を促すユーザーインターフェイス部を有する情報提示部と、を備えたものである。」と記載されている（要約参照）。
【０００５】
また、特許文献２の公報には、「ドレンパンの上方あるいは外壁側面に、ドレンの連続的な水位変化を非接触で検出できる水位センサを備え、ドレンの過渡的な水位変化を測定し、定常水位値、水位変化速度、ドレン排出手段停止直後の水変化量、ドレン排出手段の稼動状態、などの特徴量を正常運転時の値と比較することにより、ドレン排出手段故障、配管詰り、ドレンパン内のゴミ堆積、ドレン配管を共有する他の室内機からのドレン浸入などの各種異常状態を特定・判別し、警報手段に警報を発報する。」と記載されている（要約参照）。
【先行技術文献】
【特許文献】
【０００６】
【特許文献１】特開２０１０−２８６２０８号公報
【特許文献２】特開２００８−９６００２号公報
【発明の概要】
【発明が解決しようとする課題】
【０００７】
空調機の効率的な運転には空調機にかかる負荷を検出することが必要である。特許文献１では、カメラ及び赤外線等を別途設けることになるので、空調機のコストアップを招く。また、特許文献２では、ドレンに関する異常を検出するためのものであり、空調機にかかる負荷を検出するためのものではない。
【０００８】
そこで、本発明は、既存のセンサが取得した情報に基づいて、空調機にかかる負荷を検出して、効率的な運転を実施する空調機を提供することを目的とする。
【課題を解決するための手段】
【０００９】
上記課題を解決するために、本発明は、冷房又は除湿で空調運転を実施する空調機であって、空調運転を実施する空間の湿度を計測する湿度計測部と、前記湿度計測部が計測した湿度に基づいて、前記空間の水分の除去にかかる負荷を示す除湿負荷を算出する除湿負荷算出部と、前記除湿負荷算出部によって算出された前記除湿負荷が、前記空間が閉鎖空間である場合とは異なる状態であるか否かに基づいて、前記空間が開放空間となっているため、前記除湿負荷が過剰となったか否かを判定する除湿負荷過剰判定部と、前記除湿負荷過剰判定部によって、前記空間が開放空間となっているため、前記除湿負荷が過剰であると判定した場合、前記除湿負荷が過剰となった旨を提示する提示部と、を備えることを特徴とする。
その他の解決手段は、実施形態中に記載する。
【発明の効果】
【００１０】
本発明によれば、既存のセンサが取得した情報に基づいて、空調機にかかる負荷を検出して、効率的な運転を実施する空調機を提供できる。
【００１１】
上記した以外の課題、構成、及び効果は、以下の実施形態の説明により明らかにされる。
【図面の簡単な説明】
【００１２】
【図１】実施例１の空調機の装置構成の説明図である。
【図２】実施例１の室内制御基板及び室外制御基板のハードウェア構成図である。
【図３】実施例１の室内制御基板の機能ブロック図である。
【図４】実施例１の第１除湿負荷判定部が用いる空調機測定情報の説明図である。
【図５】実施例１の圧縮機の運転状態と吸込温度及び吸込湿度との関係の説明図である。
【図６】実施例１の第１除湿負荷判定部の判定結果の説明図である。
【図７】実施例１の第２除湿負荷判定部が用いる空調機測定情報の説明図である。
【図８】実施例１の第２除湿負荷判定部の除湿負荷判定処理の説明図である。
【図９】実施例１の負荷判定処理のフローチャートである。
【図１０】実施例１の容量判定処理のフローチャートである。
【図１１】実施例１の第１除湿負荷判定処理のフローチャートである。
【図１２】実施例１の第２除湿負荷判定処理のフローチャートである。
【図１３】実施例１のユーザリモコンの表示部に表示された警告メッセージの説明図である。
【図１４】実施例２の空調システムのシステム構成図である。
【図１５】実施例２の空調コントローラのハードウェア構成図である。
【図１６】実施例２の空調コントローラ及び室内制御基板の機能ブロック図である。
【図１７】実施例２の負荷判定処理のフローチャートである。
【図１８】実施例２の空調コントローラのユーザ入出力部に表示された警告メッセージの説明図である。
【図１９】実施例２のメッセージ表示画面の説明図である。
【発明を実施するための形態】
【実施例１】
【００１３】
実施例１について図１〜図１３を用いて説明する。
【００１４】
図１は、実施例１の空調機７の装置構成の説明図である。空調機７は、室内に配置される室内機１と、室外に配置される室外機２とを有する。室内機１と室外機２とは、冷媒配管３及び空調通信網４で接続される。また、室内機１はユーザリモコン５に接続される。
【００１５】
図１に示す室内機１は、天井埋め込み型と呼ばれ、室内機１本体の下方に配置される化粧パネル１ａを天井材に嵌め込んで、室内機１を天井に固定する。化粧パネル１ａの中央部には、室内の空気を吸い込む吸込口１ｂが形成される。吸込口１ｂを囲むように、冷却又は除湿された空気を吹き出す吹出口１ｃが形成される。
【００１６】
室内機１の内部には、室内制御基板１０、室内ファン１１、室内側熱交換器１２、ドレンパン１３、ドレンポンプ１４、ドレン配管１５、吸込湿度センサ１６、吸込温度センサ１７、吹出温度センサ１８、及び水量センサ１９が配置される。
【００１７】
室内制御基板１０は、室内ファン１１、室内側熱交換器１２、ドレンポンプ１４、吸込湿度センサ１６、吸込温度センサ１７、吹出温度センサ１８、及び水量センサ１９に接続され、これらを制御して、室内機１の空調運転制御を管理する。また、室内制御基板１０は、室外機２及びユーザリモコン５に接続され、室外機２の運転状態を取得し、またユーザリモコン５に空調機７の状態等を表示する。
【００１８】
室内ファン１１は、吸込口１ｂを通じて室内の空気を室内機１内に吸い込む。室内側熱交換器１２は、室内ファン１１の外周を囲むように配置される。室内側熱交換器１２の内部には冷媒が流れており、室内ファン１１から吸い込まれた空気は室内側熱交換器１２を通ると冷却され、吹き出し口から吹き出される。ドレンパン１３には、室内側熱交換器１２によって空気が冷却することによって発生した水（ドレン水）が貯留される。ドレンポンプ１４は、ドレンパン１３に貯留されたドレン水をドレン配管１５を通って室内機１の外部に排出する。
【００１９】
吸込湿度センサ１６は、吸込口１ｂから吸い込まれた空気の湿度を計測する。すなわち、吸込湿度センサ１６は、空調運転を実施する空間の湿度を計測する湿度計測部である。吸込温度センサ１７は、吸込口１ｂから吸い込まれた空気の温度を計測する。吹出温度センサ１８は、吹出口１ｃから吹き出される空気の温度を計測する。水量センサ１９は、排水されたドレン水の容量を計測する。
【００２０】
なお、図１では、室内機１の断面図を示したので、室内側熱交換器１２とドレンパン１３とが図１の左右に分かれて図示されるが、これらは平面的に見ると一体に繋がっている。
【００２１】
次に、室外機２について説明する。室外機２には外気吸込口２ｂ及び排気口２ｃが形成される。
【００２２】
室外機２の内部には、室外制御基板２０、室外側熱交換器２１、室外ファン２２、圧縮機２３、絞り装置２４、及び外気温度センサ２５が配置される。
【００２３】
室外制御基板２０は、室外側熱交換器２１、室外ファン２２、圧縮機２３、絞り装置２４、及び外気温度センサ２５に接続され、これらを制御して、室外機２の空調運転制御を管理する。
【００２４】
圧縮機２３は、冷房運転時には凝縮器（放熱器）として機能する。室外ファン２２は、外気吸込口２ｂから空気を吸い込む。室外側熱交換器２１は、外気吸込口２ｂから吸い込まれた空気を冷媒との間で熱交換する。室外側熱交換器２１が熱交換した空気は排気口２ｃから排出される。絞り装置２４は、冷媒配管３を流れる冷媒の流量を調節する。外気温度センサ２５は、外気吸込口２ｂから吸い込まれた空気の温度を計測する。
【００２５】
図２は、実施例１の室内制御基板１０及び室外制御基板２０のハードウェア構成図である。
【００２６】
室内制御基板１０のハードウェア構成について説明する。室内制御基板１０は、プロセッサ５０、ＲＡＭ（Ｒａｎｄｏｍ  Ａｃｃｅｓｓ  Ｍｅｍｏｒｙ）５１、メモリディスク５２、リアルタイムクロック５８、リモコン通信インタフェース（ＩＦ）５３、室外機通信ＩＦ５４、電源ＩＦ５５、センサ通信ＩＦ５６、及び機器通信ＩＦ５７を有する。ＲＡＭ５１、メモリディスク５２、リアルタイムクロック５８、リモコン通信インタフェース（ＩＦ）５３、室外機通信ＩＦ５４、電源ＩＦ５５、センサ通信ＩＦ５６、及び機器通信ＩＦ５７は、それぞれ図示しない接続線を介してプロセッサ５０に接続される。
【００２７】
プロセッサ５０は、演算処理を実行するプロセッサを有し、様々な汎用周辺機能を有する所謂ワンチップマイコンである。ＲＡＭ５１は、プロセッサ５０が実行するプログラム及び当該プロセッサが読み書きするデータを一時的に記憶する揮発性の記憶媒体である。メモリディスク５２には、ＯＳ（Ｏｐｅｒａｔｉｎｇ  Ｓｙｓｔｅｍ）、各種プログラム、及び各種データが記憶される不揮発性の非一次的な記憶媒体である。リアルタイムクロック５８は、時刻情報を取得し、時刻情報をプロセッサ５０に提供する。
【００２８】
リモコン通信ＩＦ５３は、室内制御基板１０をユーザリモコン５に接続するインタフェースである。室外機通信ＩＦ５４は、室外制御基板２０を空調通信網４を介して室外制御基板２０に接続するインタフェースである。電源ＩＦ５５は、室内制御基板１０を室内機１が有する図示しない電源供給部に接続するインタフェースである。センサ通信ＩＦ５６は、室内制御基板１０を吸込湿度センサ１６、吸込温度センサ１７、吹出温度センサ１８、及び水量センサ１９等に接続するインタフェースである。機器通信ＩＦ５７は、室内制御基板１０を室内ファン１１、室内側熱交換器１２、及びドレンポンプ１４等に接続するインタフェースである。
【００２９】
次に、室外制御基板２０のハードウェア構成について説明する。室外制御基板２０は、プロセッサ６０、ＲＡＭ６１、ＲＯＭ（Ｒｅａｄ  Ｏｎｌｙ  Ｍｅｍｏｒｙ）６２、室内機通信ＩＦ６３、電源ＩＦ６４、及びセンサ通信ＩＦ６５を有する。ＲＡＭ６１、ＲＯＭ（Ｒｅａｄ  Ｏｎｌｙ  Ｍｅｍｏｒｙ）６２、室内機通信ＩＦ６３、電源ＩＦ６４、及びセンサ通信ＩＦ６５は、それぞれ図示しない接続線を介してプロセッサ６０に接続される。
【００３０】
プロセッサ６０は各種演算処理を実行する。ＲＡＭ６１は、プロセッサ６０が実行するプログラム及び当該プロセッサが読み書きするデータを一時的に記憶する揮発性の記憶媒体である。ＲＯＭ６２は、ＯＳ（Ｏｐｅｒａｔｉｎｇ  Ｓｙｓｔｅｍ）、各種プログラム、及び各種データが記憶される不揮発性の非一時的な記憶媒体である。
【００３１】
室内機通信ＩＦ６３は、室外制御基板２０を空調通信網４を介して室内制御基板１０に接続するインタフェースである。電源ＩＦ６４は、室外制御基板２０を室外機２が有する図示しない電源供給部に接続するインタフェースである。センサ通信ＩＦ６５は、室外制御基板２０を外気温度センサ２５に接続するインタフェースである。
【００３２】
次に、ユーザリモコン５について説明する。
【００３３】
ユーザリモコン５は、表示部７０、運転停止ボタン７１、決定ボタン７２、選択ボタン７３、メニューボタン７４、戻るボタン７５、及びガイドボタン７６を有する。
【００３４】
表示部７０には、通常状態では、運転モード、風量、風向き、及び温度等が表示される。また、室内制御基板１０が、室内の水分の除去にかかる負荷を示す除湿負荷が過剰であることを検出した場合、表示部７０にはその旨が表示されてもよい。
【００３５】
運転停止ボタン７１は、空調機７の運転を開始又は停止させるボタンである。決定ボタン７２は、表示部７０に表示された項目から一つの項目を決定するボタンである。選択ボタン７３は、決定ボタン７２の上下左右に４つのボタンであり、表示部７０に表示された項目を選択するボタンである。メニューボタン７４は、表示部７０にメニュー画面を表示させるボタンである。戻るボタン７５は、表示部７０に表示された内容を一つ前の内容に戻すボタンである。ガイドボタン７６は、表示部７０にガイド画面を表示させるボタンである。
【００３６】
図３は、実施例１の室内制御基板１０の機能ブロック図である。
【００３７】
室内制御基板１０は、空調運転管理部１００、及び負荷判定部１１０を有する。なお、空調運転管理部１００及び負荷判定部１１０に対応するプログラムがＲＡＭ５１に記憶されており、プロセッサ５０がこれらのプログラムを実行することによって、空調運転管理部１００及び負荷判定部１１０は実現される。
【００３８】
まず、空調運転管理部１００について説明する。空調運転管理部１００は、リモコン通信ＩＦ５３を介してユーザリモコン５と通信し、室外機通信ＩＦ５４を介して室外機２と通信する。また、空調運転管理部１００は、センサ通信ＩＦ５６を介して各種センサの計測値を取得し、機器通信ＩＦ５７を介して室内機１の室内ファン１１、室内側熱交換器１２、及びドレンポンプ１４等の機器を監視制御して、ユーザの設定に従った空調運転を実施するとともに、これらの機器の故障を検出する。
【００３９】
本実施例の空調運転管理部１００は、負荷判定ＩＦ部１０１を有する。負荷判定ＩＦ部１０１は、負荷判定部１１０が除湿負荷を検出するために必要なデータを負荷判定部１１０に提供し、負荷判定部１１０が過剰な除湿負荷を検出した旨を示す過剰除湿負荷情報を受け取り、例えばリモコン通信ＩＦ５３を介してその旨をユーザに報知する。この負荷判定ＩＦ部１０１によって、空調運転管理部１００は、負荷判定部１１０を間接的に管理する。
【００４０】
次に、負荷判定部１１０について説明する。
【００４１】
負荷判定部１１０は、各種センサの計測値に基づいて空調機７が冷房又は除湿で運転中であるにもかかわらず、室内の水分の除去にかかる除湿負荷を算出し、算出した除湿負荷が過剰であるか否かを判定し、除湿負荷が過剰であれば過剰除湿負荷情報を負荷判定ＩＦ部１０１に出力して、ユーザリモコン５等にその旨を表示させる。
【００４２】
空調機７は、室内の温度及び設定温度に基づいて、室内ファン１１、室内側熱交換器１２、及びドレンポンプ１４等を制御する。外気温と設定温度の差が大きい場合、外気が室内に流入すると、室内の温度と設定温度との差が大きくなり、空調機７の風量等が大きくなるように制御されるので、空調機７の消費電力が通常より大きくなる。
【００４３】
一方、外気温と設定温度との差が小さい場合、外気が室内に流入しても、室内の温度と設定温度との差が変わらないので、空調機７の風量等はそのままで制御され、空調機７の消費電力に大きな影響はない。しかしながら、外気温と設定温度との差が小さい場合であっても、湿気を含む外気が室内に流入すると、室内の湿度は空調機７が冷房又は除湿運転中であっても低下せず、空調機７の除湿負荷が過剰な状態となる。このため、本実施例では、負荷判定部１１０は、室内の湿度に着目して、外気が室内に流入する等の除湿負荷が過剰となっていることを検出する。これによって、室外温度と設定温度との差が小さくても、除湿負荷が過剰となっていることを検出できる。
【００４４】
負荷判定部１１０は、運転管理ＩＦ部１１１、データ処理部１１２、容量判定部１１３、第１除湿負荷判定部１１４、第２除湿負荷判定部１１５、及び判定履歴処理部１１６を有する。
【００４５】
運転管理ＩＦ部１１１は、負荷判定ＩＦ部１０１との間で各種情報を送受信するインタフェースである。まず、空調運転管理部１００は、ユーザリモコン５から冷房又は除湿運転開始の指示が入力された場合、冷房又は除湿運転を開始する。また、空調運転管理部１００は、運転状態となったことを負荷判定ＩＦ部１０１から負荷判定部１１０の運転管理ＩＦ部１１１に通知し、負荷判定部１１０は、負荷判定処理の実行を開始する。また、空調運転管理部１００は、冷房運転を開始する場合には設定温度、除湿運転を開始する場合には設定湿度、吸込温度センサ１７が運転開始時に計測した室内の温度、及び、吸込湿度センサ１６が運転開始時に計測した室内の湿度を、負荷判定ＩＦ部１０１から運転管理ＩＦ部１１１に出力する。
【００４６】
空調運転管理部１００は、冷房又は除湿運転が停止されるまで所定時間間隔で、吸込湿度センサ１６及び吸込温度センサ１７の計測値、圧縮機２３の運転状態、並びに圧縮機２３の消費電力を負荷判定ＩＦ部１０１から運転管理ＩＦ部１１１に出力する。なお、空調運転管理部１００は、水量センサ１９の計測値又はドレンポンプの回転量等のドレン水の排出量を特定可能な情報を取得できる場合、これらの情報も所定時間間隔で負荷判定ＩＦ部１０１から運転管理ＩＦ部１１１に出力する。
【００４７】
例えば、空調運転管理部１００は、１０秒ごとに各種センサの情報等を示す空調機測定情報を取得し、空調機測定情報の負荷判定ＩＦ部１０１から運転管理ＩＦ部１１１への出力時間間隔も１０秒となるが、これらの間隔は、本実施例の機器の都合等により任意に設定されてもよい。
【００４８】
データ処理部１１２は、運転管理ＩＦ部１１１が受信した空調機測定情報に所定のデータ処理を実行して、空調機測定情報を時系列順にＲＡＭ５１に記憶する。ＲＡＭ５１に記憶された空調機測定情報の詳細は図４及び図７で説明する。
【００４９】
容量判定部１１３、第１除湿負荷判定部１１４、及び第２除湿負荷判定部１１５は、データ処理部１１２に空調機測定情報が入力されるたびに、それぞれの判定処理を実行して、それぞれの判定結果をデータ処理部１１２に出力する。データ処理部１１２は、入力された判定結果をＲＡＭ５１に記憶し、入力された判定結果を運転管理ＩＦ部１１１を介して空調運転管理部１００に出力する。
【００５０】
容量判定部１１３は、空調機７の空調容量の不足が発生しているか否かを判定する。例えば、容量判定部１１３は、空調機７の運転が開始されてから所定時間（例えば２０分）経過しても、設定温度又は設定湿度に達しない場合、空調機７の空調容量の不足が発生していると判定する。容量判定部１１３は、空調機７の容量の不足が発生していると判定した場合、その旨をデータ処理部１１２に出力し、空調機７の容量の不足が発生していないと判定した場合、その旨をデータ処理部１１２に出力する。データ処理部１１２は、空調機７の容量の不足が発生している旨が入力された場合、ＲＡＭ５１の容量不足発生フラグをＯＮに設定し、空調機７の容量の不足が発生していない旨が入力された場合、ＲＡＭ５１の容量不足発生フラグをＯＦＦに設定する。
【００５１】
なお、空調機７の空調容量の不足が発生したか否かを判定するための所定時間は、空調機７の性能に従って予め適切な値に設定される。また、空調機測定情報に圧縮機２３の運転周波数又は消費電力等の圧縮機２３の動作が含まれる場合、容量判定部１１３は、圧縮機２３の運転周波数又は消費電力が所定時間継続して定格の９０％以上であって、かつ所定時間継続して設定温度又は設定湿度に達しなければ、空調機７の容量の不足が発生したと判定してもよい。このように、容量判定部１１３の判定条件は、容量判定部１１３が取得可能な空調機測定情報に含まれる情報を組み合わせて設定されてもよい。
【００５２】
また、データ処理部１１２は、ＲＡＭ５１の容量不足発生フラグの状態が変化した場合、容量不足発生フラグが変化した旨を、運転管理ＩＦ部１１１を介して空調運転管理部１００に出力する。判定履歴処理部１１６は、ＲＡＭ５１の容量不足発生フラグの状態がＯＦＦからＯＮに変化した日時を、容量不足発生履歴として記憶する。
【００５３】
次に、第１除湿負荷判定部１１４について説明する。第１除湿負荷判定部１１４は、吸込湿度センサ１６の計測値の時系列変化に基づいて第１除湿負荷を算出し、圧縮機２３の運転状態も考慮して、第１除湿負荷が過剰であるか否かを判定する。第１除湿負荷判定部１１４が用いる空調機測定情報について図４を用いて説明する。図４は、実施例１の第１除湿負荷判定部１１４が用いる空調機測定情報の説明図である。第１除湿負荷判定部１１４が用いる空調機測定情報は、経過時間４０１、圧縮機運転状態４０２、吸込温度４０３、吸込湿度４０４、及び風速４０５を含む。
【００５４】
経過時間４０１には、空調機７の運転が開始されてからの経過時間が登録される。圧縮機運転状態４０２には、圧縮機２３の運転状態が登録される。図４では、圧縮機運転状態４０２には、圧縮機２３が運転中であるか停止中であるかの情報が登録され、圧縮機２３が運転中である場合には、圧縮機２３の運転周波数も登録される。吸込温度４０３には、吸込温度センサ１７の計測値（室内温度）が登録される。吸込湿度４０４には、吸込湿度センサ１６の計測値（室内湿度）が登録される。風速４０５には、室内機１の風速が登録される。また、第１除湿負荷判定部１１４が用いる空調機測定情報は、現在の空調機７の運転モード及び設定温度を含んでもよい。
【００５５】
なお、データ処理部１１２は、空調機測定情報が入力された場合、入力された空調機測定情報に含まれる圧縮機運転状態、吸込温度、吸込湿度、及び風速を、第１除湿負荷判定部１１４が用いる空調機測定情報に追加していく。
【００５６】
第１除湿負荷判定部１１４の詳細について図５及び図６を用いて説明する。
【００５７】
図５は、実施例１の圧縮機２３の運転状態と吸込温度及び吸込湿度との関係の説明図である。
【００５８】
図５に示すように、圧縮機２３の運転状態が運転中であれば、吸込温度及び吸込湿度は下降傾向を示し、圧縮機２３の運転状態が停止中であれば、吸込温度及び吸込湿度は上昇傾向を示すはずである。しかし、室内温度と同じ程度（例えば７℃以下）の外気が室内に流入している場合等の除湿負荷が過剰である場合、圧縮機２３の運転状態が運転中であっても、吸込湿度は上昇傾向を示す。
【００５９】
このため、第１除湿負荷判定部１１４は、第１除湿負荷判定部１１４が用いる空調機測定情報にデータ処理部１１２が新たな情報を追加した場合、圧縮機２３の運転状態が運転中であれば、今回追加された吸込湿度から前回の吸込湿度を減算し、減算結果を第１除湿負荷として算出する。そして、第１除湿負荷判定部１１４は、減算結果がマイナスの値、すなわち、今回追加された吸込湿度が前回の吸込湿度より低下した場合、除湿負荷は過剰でないものと判定する。一方、第１除湿負荷判定部１１４は、減算結果が所定時間以上継続してプラスの値、すなわち、今回追加された吸込湿度が前回の吸込湿度より上昇している場合、窓又はドア等が開いており、外気が室内に流入する等の除湿負荷が過剰であると判定する。
【００６０】
図６は、実施例１の第１除湿負荷判定部１１４の判定結果の説明図である。
【００６１】
図６では、第１除湿負荷判定部１１４は、圧縮機２３が運転中であって、かつ、今回追加された吸込湿度から前回の吸込湿度を減算した結果である第１除湿負荷が１０分以上プラスとなっている区間を、除湿負荷が過剰である区間と判定する。第１除湿負荷判定部１１４は、除湿負荷が過剰であると判定した場合、その旨をデータ処理部１１２に出力し、除湿負荷が過剰でないと判定した場合、その旨をデータ処理部１１２に出力する。データ処理部１１２は、第１除湿負荷判定部１１４から除湿負荷が過剰である旨の入力がされた場合、ＲＡＭ５１の第１除湿負荷フラグをＯＮに設定し、第１除湿負荷判定部１１４から除湿負荷が過剰でない旨の入力がされた場合、ＲＡＭ５１の第１除湿負荷フラグをＯＦＦに設定する。なお、第１除湿負荷判定部１１４は、第１除湿負荷がマイナスとなれば、除湿負荷が過剰でないと判断して、第１除湿負荷フラグをＯＦＦに変更する。
【００６２】
図６に示す例では、第１除湿負荷判定部１１４は、圧縮機２３が運転中であって、１０分以上第１除湿負荷がプラスとなっていれば、除湿負荷が過剰であると判定したが、圧縮機２３が運転中であって、湿度５５％以上であって、かつ所定時間（例えば１０分間）の第１除湿負荷の平均が上昇傾向を示せば、除湿負荷が過剰であると判断してもよい。また、冷房運転時と除湿運転時とで判定条件を変更してもよい。例えば、第１除湿負荷判定部１１４は、冷房運転時は上記した判定条件を用いて除湿負荷を検出し、除湿運転時は、圧縮機２３が運転中であって、湿度４５％以上であって、所定時間（例えば５分間）の第１除湿負荷の累積値がマイナスであり、かつ当該累積値が閾値（例えば３％）以下であれば、除湿負荷を検出するとしてもよい。
【００６３】
次に、第２除湿負荷判定部１１５について説明する。
【００６４】
第２除湿負荷判定部１１５は、データ処理部１１２に空調機測定情報が入力されたタイミング（例えば１０秒間隔）で第２除湿負荷の判定処理を実行する。具体的には、第２除湿負荷判定部１１５は、前回入力された室内温度及び室内湿度から算出される室内の水分量から今回入力された室内温度及び室内湿度から算出される室内の水分量を減算する。そして、第２除湿負荷判定部１１５は、水分量の減算結果を前回のタイミングと今回のタイミングとの間で発生したドレン水量で除算して、除算結果に空気比重を乗算することによって、空調機７が実際に空調を実施した空間の容量を示す実測空間容量を第２除湿負荷として算出する。そして、第２除湿負荷判定部１１５は、第２除湿負荷と空調機７の本来の容量とを比較して、除湿負荷が過剰であるか否かを判定する。
【００６５】
第２除湿負荷判定部１１５が用いる空調機測定情報について図７を用いて説明する。図７は、実施例１の第２除湿負荷判定部１１５が用いる空調機測定情報の説明図である。第２除湿負荷判定部１１５が用いる空調機測定情報は、経過時間７０１、吹出温度７０２、吸込温度７０３、及び吸込湿度７０４を含む。
【００６６】
経過時間７０１には、空調機７の運転が開始されてからの経過時間が登録される。吹出温度７０２には、吹出温度センサ１８の計測値が登録される。吸込温度４０３には、吸込温度センサ１７の計測値（室内温度）が登録される。吸込湿度４０４には、吸込湿度センサ１６の計測値（室内湿度）が登録される。また、第２除湿負荷判定部１１５が用いる空調機測定情報は、現在の空調機７の運転モード及び設定温度を含んでもよい。また、第２除湿負荷判定部１１５が用いる空調機測定情報は、水量センサ１９の計測値、ドレンポンプ１４の排水量、又はドレンポンプ１４の周波数等のドレン水量を特定可能な情報を、吹出温度７０２の代わりに含んでもよい。
【００６７】
なお、データ処理部１１２は、空調機測定情報が入力された場合、入力された空調機測定情報に含まれる吹出温度、吸込温度、及び吸込湿度を、第２除湿負荷判定部１１５が用いる空調機測定情報に追加していく。
【００６８】
第２除湿負荷判定部１１５は、データ処理部１１２に新たな空調機測定情報が入力された場合、前回の入力から今回の入力までの間（例えば、１０秒間）に発生した単位時間（１秒）当たりのドレン水量を算出する。
【００６９】
第２除湿負荷判定部１１５が吹出温度を取得でき、ドレン水量を特定可能な情報を取得できない場合についてのドレイン水量の算出方法について説明する。まず、第２除湿負荷判定部１１５は、空気線図又はＷｅｘｌｅｒ−Ｈｙｌａｎｄ式を用いて、今回の吸込温度（ｔｉ）と吸込湿度（ｈｉ）から吸込絶対湿度（Ｈｉ）を算出する。また、第２除湿負荷判定部１１５は、今回の吹出温度が飽和空気と想定して、空気線図又はＷｅｘｌｅｒ−Ｈｙｌａｎｄ式を用いて、今回の吹出温度の吹出絶対湿度（Ｈ０）を算出する。そして、第２除湿負荷判定部１１５は、式１を計算して、単位時間当たりのドレン水量（ｙ）を算出する。式１のＦは空調機７の風速を示し、ρは空気比重を示す。
【００７０】
ｙ＝（Ｈｉ−Ｈ０）×Ｆ／ρ・・・（式１）
【００７１】
なお、第２除湿負荷判定部１１５は、吹出温度を取得できず、室内側熱交換器１２のガス管の温度を取得できる場合、冷却効率を考慮して、当該ガス管の温度から所定値（例えば１℃）を減算した値を吹出温度として用いてもよい。
【００７２】
また、第２除湿負荷判定部１１５は、ドレン水量を特定可能な情報を取得できる場合、当該情報から単位時間当たりのドレン水量を換算すればよい。
【００７３】
空調機７の本来の容量をＶｅｘとした場合、当該容量の空間で空調機７が空調を実施すれば、前回入力された吸込温度ｔｉ及び吸込湿度ｈｉの状態から１０秒間でｙ×１０の水分が除去され、今回入力された吸込湿度ｈｉ２ｅｘは、式２によって算出される値になるはずである。
【００７４】
ｈｉ２ｅｘ＝（Ｈｉ−（ｙ×１０）／Ｖｅｘ×ρ）／Ｈｉｓ×１００・・・（式２）
【００７５】
ここで、式２のＨｉは、吸込温度ｔｉ及び吸込湿度ｈｉから算出される吸込絶対湿度を示し、Ｈｉｓは、今回入力された吸込温度ｔｉ２の場合の飽和空気絶対湿度を示す。
【００７６】
しかし、室内の窓又はドアが開いて外気が室内に流入している場合等の除湿負荷が過剰である場合、空調機７は、本来の容量（Ｖｅｘ）より大きな空間で空調を実施していることになり、吸込湿度は式２によって算出される値のように変化しない。
【００７７】
このため、本実施例の第２除湿負荷判定部１１５は、前回入力された吸込温度（ｔｉ）及び吸込湿度（ｈｉ）と、今回入力された吸込温度（ｔｉ２）及び吸込湿度（ｈｉ２）とに基づいて所定時間（例えば１０秒間）で除去された水分量を算出し、算出した水分量と所定時間で排出されたドレン水量との関係に基づいて、実測空間容量（Ｖ）を第２除湿負荷として算出する。
【００７８】
具体的には、第２除湿負荷判定部１１５は、実測空間容量（Ｖ）を式３を計算することによって算出する。
【００７９】
Ｖ＝（Ｈｉ−ｈｉ２×Ｈｉｓ／１００）／（ｙ×ｓｅｃ）×ρ・・・（式３）
【００８０】
式２のＨｉは吸込温度ｔｉ及び吸込湿度ｔ２に対応する吸込絶対湿度を示し、Ｈｉｓは吸込温度ｔｉ２の飽和空気絶対湿度を示し、ｙは単位時間（１秒）当たりのドレン水発生量を示し、ｓｅｃは本実施例の所定時間（例えば１０秒）を示し、ρは空気比重を示す。
【００８１】
次に、第２除湿負荷判定部１１５の第２除湿負荷（実測空間容量Ｖ）と空調機７の本来の容量（本来容量Ｖｅｘ）とを比較して、除湿負荷が過剰であるか否か判定する処理について、図８を用いて説明する。図８は、実施例１の第２除湿負荷判定部１１５の除湿負荷判定処理の説明図である。
【００８２】
第２除湿負荷判定部１１５は、吸込湿度が５０％以上であって、かつ実測空間容量（Ｖ）が本来容量（Ｖｅｘ）の３倍以上の状態が１５分以上継続した場合、除湿負荷が過剰であると判定し、データ処理部１１２にＲＡＭ５１の第２除湿負荷フラグをＯＮに設定させる。また、第２除湿負荷判定部１１５は、吸込湿度が５０％未満になるか、又は実測空間容量（Ｖ）が本来容量（Ｖｅｘ）の３倍未満となれば、除湿負荷が過剰である状態が解消したと判定し、データ処理部１１２にＲＡＭ５１の第２除湿負荷フラグをＯＦＦに設定させる。
【００８３】
なお、第２除湿負荷判定部１１５は、圧縮機２３の運転状態が取得できる場合には、圧縮機２３が停止中である場合には、判定処理を実行しない。また、第２除湿負荷判定部１１５は、圧縮機２３の運転状態が取得できなくても、吹出温度が急激に上昇し、吹出温度と吸込温度との差が３℃以下である場合、圧縮機２３が停止していると判断し、判定処理を実行しない。
【００８４】
また、ドレン水量、吹出温度、及び実測空間容量を算出するための各種値は、空調機７の性能に基づいて適切な値が設定されているものとする。
【００８５】
第１除湿負荷判定部１１４が算出する第１除湿負荷及び第２除湿負荷判定部１１５が算出する第２除湿負荷は、空調運転を実施する空間の水分の除去にかかる負荷を示すものである。
【００８６】
判定履歴処理部１１６は、ＲＡＭ５１の容量不足発生フラグの状態がＯＦＦからＯＮに変化した日時を容量不足発生履歴として記憶し、容量不足発生通知を運転管理ＩＦ部１１１を介して空調運転管理部１００に出力する。また、判定履歴処理部１１６は、ＲＡＭ５１の第１除湿負荷フラグの状態がＯＦＦからＯＮに変化した日時を第１除湿負荷発生履歴として記憶し、第１除湿負荷発生通知を運転管理ＩＦ部１１１を介して空調運転管理部１００に出力する。判定履歴処理部１１６は、ＲＡＭ５１の第２除湿負荷フラグの状態がＯＦＦからＯＮに変化した日時を第２除湿負荷発生履歴として記憶し、第２除湿負荷発生通知を運転管理ＩＦ部１１１を介して空調運転管理部１００に出力する。
【００８７】
また、判定履歴処理部１１６は、第２除湿負荷発生履歴の所定期間における発生頻度が所定値以上である場合、空調機７の本来容量が室内の容量にマッチしていない旨の容量ミスマッチ通知を、運転管理ＩＦ部１１１を介して空調運転管理部１００に出力し、ユーザリモコン５の表示部７０にその旨を表示させる。また、判定履歴処理部１１６は、第２除湿負荷判定部１１５が算出した実測空間容量（Ｖ）が徐々に大きくなり、所定値以上となった場合、経年劣化によりメンテナンスが必要である旨の経年劣化通知を運転管理ＩＦ部１１１を介して空調運転管理部１００に出力し、ユーザリモコン５の表示部７０にその旨を表示させる。
【００８８】
空調運転管理部１００は、負荷判定部１１０から容量不足発生通知、第１除湿負荷発生通知、第２除湿負荷発生通知、容量ミスマッチ通知、及び経年劣化通知のいずれかが入力された場合、その旨をユーザリモコン５の表示部７０に表示する。
【００８９】
図３で説明した各機能部は、メモリディスク５２に格納された各機能部に対応するプログラムを、プロセッサ５０がＲＡＭ５１に読み出して、実行することによって実現される。
【００９０】
次に、図９〜図１２を用いて、負荷判定部１１０の処理について説明する。
【００９１】
図９は、実施例１の負荷判定処理のフローチャートである。
【００９２】
プロセッサ５０が負荷判定部１１０に対応するプログラムをＲＡＭ５１に読み出し、実行することによって、負荷判定処理を実現する。例えば、負荷判定処理は、空調機負荷測定情報の取得間隔より短い間隔で実行されるものとする。
【００９３】
まず、プロセッサ５０は、ユーザリモコン５からのユーザの設定入力をリモコン通信ＩＦ５３が受け付けたか否かを判定する（９０１）。
【００９４】
ステップ９０１の処理で、ユーザの設定入力をリモコン通信ＩＦ５３が受け付けたと判定された場合（９０１：ＹＥＳ）、プロセッサ５０は、受け付けたユーザの設定入力が、冷房若しくは除湿運転を開始する運転開始入力、又は冷房若しくは除湿運転の設定値を変更する設定値変更入力であるか否かを判定する（９０２）。
【００９５】
ステップ９０２の処理で、受け付けた設定入力が運転開始入力又は設定値変更入力であると判定された場合、プロセッサ５０は、ＲＡＭ５１の容量判定処理、第１除湿負荷判定処理、及び第２除湿負荷判定処理が用いる領域を初期化する（９０３）。
【００９６】
ＲＡＭ５１には、図４に示す第１除湿負荷判定部１１４が用いる空調機測定情報、及び図７に示す第２除湿負荷判定部１１５が用いる空調機測定情報が構築される領域と、容量判定処理、第１除湿負荷判定処理、及び第２除湿負荷判定処理が用いる変数が構築される領域とがある。ステップ９０３の処理では、プロセッサ５０は、ＲＡＭ５１のこれらの領域の全情報をクリアして、ユーザが設定した運転モード及び設定温度を記憶する。
【００９７】
ステップ９０２の処理で、受け付けた設定入力が運転開始入力及び設定変更入力のいずれでもないと判定された場合（９０２：ＮＯ）、又は、ステップ９０３の処理の実行後、プロセッサ５０は、リアルタイムクロック５８の現在の時刻が空調機測定情報の取得時刻であるか否かを判定する（９０４）。
【００９８】
ステップ９０４の処理で、リアルタイムクロック５８の現在の時刻が空調機測定情報の取得時刻でないと判定された場合（９０４：ＮＯ）、プロセッサ５０は、負荷判定処理を終了する。
【００９９】
一方、ステップ９０４の処理で、リアルタイムクロック５８の現在の時刻が空調機測定情報の取得時刻であると判定された場合（９０４：ＹＥＳ）、プロセッサ５０は、空調機測定情報を取得し、取得時刻と空調機測定情報とを対応付けてＲＡＭ５１に記憶する（９０５）。空調機測定情報は、室内制御基板１０に接続される全てのセンサの計測値、室内機１が有する全ての機器の動作情報等、及び室外機２の運転状態情報等を含む。センサの計測値はセンサ通信ＩＦ５６を介して取得され、室内機１が有する全ての機器の動作情報等は機器通信ＩＦ５７を介して取得され、室外機２の運転状態情報等は室外機通信ＩＦ５４を介して取得される。
【０１００】
ステップ９０３〜９０５の処理で、ＲＡＭ５１に図４に示す第１除湿負荷判定部１１４が用いる空調機測定情報、及び図７に示す第２除湿負荷判定部１１５が用いる空調機測定情報が構築され、ステップ９０６〜９０８の処理で、容量判定処理、第１除湿負荷判定処理、及び第２除湿負荷判定処理が実行される。
【０１０１】
まず、プロセッサ５０は、容量判定部１１３に対応するプログラムを実行して、容量判定処理を実行する（９０６）。容量判定処理の詳細は図１０で説明する。
【０１０２】
次に、プロセッサ５０は、第１除湿負荷判定部１１４に対応するプログラムを実行して、第１除湿効率判定処理を実行する（９０７）。第１除湿効率判定処理の詳細は図１１で説明する。
【０１０３】
次に、プロセッサ５０は、第２除湿負荷判定部１１５に対応するプログラムを実行して、第２除湿効率判定処理を実行する（９０８）。第２除湿効率判定処理の詳細は図１２で説明する。
【０１０４】
次に、プロセッサ５０は、ＲＡＭ５１の容量不足発生フラグ、第１除湿負荷発生フラグ、及び第２除湿負荷発生フラグの少なくとも一つがＯＮ（発生状態）であるか否かを判定する（９０９）。
【０１０５】
ステップ９０９の処理で、ＲＡＭ５１の容量不足発生フラグ、第１除湿負荷発生フラグ、及び第２除湿負荷発生フラグの少なくとも一つがＯＮ（発生状態）であると判定された場合（９０９：ＹＥＳ）、プロセッサ５０は、ＯＮであるフラグに対応する警告メッセージをリモコン通信ＩＦ５３を介してユーザリモコン５に出力し、ユーザリモコン５の表示部７０に警告メッセージを表示する（９１０）。なお、ユーザリモコン５の表示部７０に表示される警告メッセージの詳細は、図１３で説明する。
【０１０６】
一方、ステップ９０９の処理で、ＲＡＭ５１の容量不足発生フラグ、第１除湿負荷発生フラグ、及び第２除湿負荷発生フラグのいずれもがＯＦＦ（発生なし状態）であると判定された場合（９０９：ＮＯ）、プロセッサ５０は、ユーザリモコン５の表示部７０に警告メッセージが表示されていれば、警告メッセージの消去指示をリモコン通信ＩＦ５３を介してユーザリモコン５に出力し、ユーザリモコン５の表示部７０から警告メッセージを消去する（９１２）。
【０１０７】
ステップ９１０又は９１２の処理の実行後、プロセッサ５０は、判定履歴処理部１１６に対応するプログラムを実行し、第２除湿負荷発生履歴の発生頻度に基づく容量ミスマッチ、第２除湿負荷に基づく経年劣化がある場合、その旨のメッセージをリモコン通信ＩＦ５３を介してユーザリモコン５に出力し、ユーザリモコン５の表示部７０にその旨のメッセージを表示させ（９１１）、負荷判定処理を終了する。
【０１０８】
図１０は、実施例１の容量判定処理のフローチャートである。
【０１０９】
まず、プロセッサ５０は、メモリディスク５２に設定されている容量判定処理で用いる各種閾値をＲＡＭ５１に読み出す（１００１）。当該閾値は、空調機７の性能に基づいて設定されているものとする。
【０１１０】
次に、プロセッサ５０は、ステップ９０５の処理で取得した空調機測定情報に含まれる吸込温度及び吸込湿度の少なくとも一方が設定値より大きいか否かを判定する（１００２）。吸込温度と比較する設定値は設定温度であり、吸込湿度と比較する設定値は設定湿度である。
【０１１１】
ステップ１００２の処理で吸込温度及び設定温度の少なくとも一方が設定値より大きいと判定された場合（１００２：ＹＥＳ）、プロセッサ５０は、設定値に達していない時間（設定値未達時間）を算出する（１００３）。具体的には、プロセッサ５０は、前回の空調機測定情報の取得時刻と今回の空調機測定情報の取得時刻との差分を前回の設定値未達時間に加算した値を今回の設定値未達時間として算出する。なお、設定値未達時間は、ステップ９０３の処理又はステップ１００９の処理で０に設定される。
【０１１２】
次に、プロセッサ５０は、ステップ１００３の処理で算出された設定値未達時間が、ステップ１００１の処理で読み出された閾値に含まれる閾値時間以上であるか否かを判定する（１００４）。
【０１１３】
ステップ１００４の処理で、設定値未達時間が閾値時間より小さいと判定された場合（１００４：ＮＯ）、容量不足が未だ発生していないので、プロセッサ５０は、容量判定処理を終了する。
【０１１４】
ステップ１００４の処理で、設定値未達時間が閾値時間以上であると判定された場合（１００４：ＹＥＳ）、プロセッサ５０は、容量不足が発生した状態であると判定し、既に容量不足が発生していたか否かを判定するために、ＲＡＭ５１の容量不足発生フラグがＯＮであるか否かを判定する（１００５）。
【０１１５】
ステップ１００５の処理で、ＲＡＭ５１の容量不足発生フラグがＯＦＦであると判定された場合（１００５：ＮＯ）、前回の容量判定処理では容量不足が発生していないと判定されており、今回の容量判定処理で容量不足が発生したので、プロセッサ５０は、ＲＡＭ５１の容量不足不足発生フラグをＯＮに設定し、容量不足発生時刻をＲＡＭ５１に記憶し（１００６）、容量判定処理を終了する。
【０１１６】
一方、ステップ１００５の処理で、ＲＡＭ５１の容量不足発生フラグがＯＮであると判定された場合（１００５：ＹＥＳ）、プロセッサ５０は容量判定処理を終了する。
【０１１７】
ステップ１００２の処理で、ステップ１００２の処理で吸込温度及び設定温度が設定値以下であると判定された場合（１００２：ＹＥＳ）、プロセッサ５０は、ＲＡＭ５１の容量不足発生フラグがＯＮであるか否かを判定する（１００７）。
【０１１８】
ステップ１００７の処理で、ＲＡＭ５１の容量不足発生フラグがＯＮであると判定された場合（１００７：ＹＥＳ）、前回の容量判定処理で容量不足が発生しており、今回の容量判定処理で容量不足が解消されたので、プロセッサ５０は、ＲＡＭ５１の容量不足発生フラグをＯＦＦに設定し、容量不足解除時刻をＲＡＭ５１に記憶する（１００８）。
【０１１９】
ステップ１００７の処理で、ＲＡＭ５１の容量不足発生フラグがＯＦＦであると判定された場合（１００７：ＮＯ）、又はステップ１００８の処理の実行後、プロセッサ５０は、設定値未達時間を０に設定し（１００９）、容量判定処理を終了する。
【０１２０】
図１１は、実施例１の第１除湿負荷判定処理のフローチャートである。
【０１２１】
まず、プロセッサ５０は、ＲＡＭ５１の図４に示す第１除湿負荷判定部１１４が用いる空調機測定情報の圧縮機運転状態４０２の最新の情報を読み出し、圧縮機２３が運転中であるか否かを判定する（１１０１）。
【０１２２】
ステップ１１０１の処理で圧縮機２３が停止中であると判定された場合（１１０１：ＮＯ）、プロセッサ５０は、第１除湿負荷判定処理を実行せずに、第１除湿負荷判定処理を終了する。
【０１２３】
一方、ステップ１１０１の処理で圧縮機２３が運転中であると判定された場合（１１０１：ＹＥＳ）、プロセッサ５０は、メモリディスク５２に設定されている第１除湿負荷判定処理で用いる各種閾値及び判定条件のうち、運転モードに対応する各種閾値及び判定条件をＲＡＭ５１に読み出す（１１０２）。
【０１２４】
次に、プロセッサ５０は、ステップ９０５の処理で取得した空調機測定情報に含まれる吸込湿度が、ステップ１１０２の処理で読み出された各種閾値に含まれる閾湿度以上であるか否かを判定する（１１０３）。
【０１２５】
ステップ１１０３の処理で、吸込湿度が閾湿度より小さいと判定された場合（１１０３：ＮＯ）、プロセッサ５０は、第１除湿負荷判定処理を終了する。
【０１２６】
一方、ステップ１１０３の処理で、吸込湿度が閾湿度以上であると判定された場合（１１０３：ＹＥＳ）、プロセッサ５０は、湿度勾配を算出する（１１０４）。湿度勾配は、今回の空調機測定情報に含まれる吸込湿度から前回の空調機測定情報に含まれる吸込湿度を減算した値を、今回の空調機測定情報の取得時刻と前回の空調機測定情報の取得時刻との差分で除算した値であり、第１除湿負荷である。
【０１２７】
次に、プロセッサ５０は、ステップ１１０４の処理で算出された湿度勾配が、ステップ１１０２の処理で読み出された各種閾値に含まれる閾勾配より小さいか否かを判定する（１１０５）。
【０１２８】
ステップ１１０５の処理で、湿度勾配が閾勾配より小さいと判定された場合（１１０５：ＮＯ）、プロセッサ５０は、湿度勾配が閾値勾配より小くなっている時間（勾配異常時間）を算出する（１１０６）。具体的には、プロセッサ５０は、前回の空調機測定情報の取得時刻と今回の空調機測定情報の取得時刻との差分を前回の勾配異常時間に加算した値を今回の勾配異常時間として算出する。なお、勾配異常時間は、ステップ９０３の処理又はステップ１１１２の処理で０に設定される。
【０１２９】
次に、プロセッサ５０は、ステップ１００６の処理で算出された勾配異常時間が、ステップ１１０２の処理で読み出された各種閾値に含まれる閾時間以上であるか否かを判定する（１１０７）。
【０１３０】
ステップ１１０７の処理で、勾配異常時間が閾時間より小さいと判定された場合（１１０７：ＮＯ）、除湿負荷が未だ過剰ではないので、プロセッサ５０は、第１除湿判定処理を終了する。
【０１３１】
一方、ステップ１１０７の処理で、勾配異常時間が閾時間以上であると判定された場合（１１０７：ＹＥＳ）、プロセッサ５０は、除湿負荷が過剰であると判定し、既に過剰な除湿負荷が検出していた否かを判定するために、ＲＡＭ５１の第１除湿負荷発生フラグがＯＮであるか否かを判定する（１１０８）。
【０１３２】
ステップ１１０８の処理で、ＲＡＭ５１の第１除湿負荷発生フラグがＯＦＦであると判定された場合（１１０８：ＮＯ）、前回の第１除湿負荷判定処理では除湿負荷が過剰でないと判定されており、今回の第１除湿負荷判定処理で除湿負荷が過剰となったので、プロセッサ５０は、ＲＡＭ５１の第１除湿負荷発生フラグをＯＮに設定し、第１除湿負荷発生時刻をＲＡＭ５１に記憶し（１１０９）、第１除湿負荷判定処理を終了する。
【０１３３】
一方、ステップ１１０８の処理で、ＲＡＭ５１の容量不足発生フラグがＯＮであると判定された場合（１１０８：ＹＥＳ）、プロセッサ５０は第１除湿負荷判定処理を終了する。
【０１３４】
ステップ１１０５の処理で湿度勾配が閾勾配以上であると判定された場合（１１０５：ＹＥＳ）、プロセッサ５０は、ＲＡＭ５１の第１除湿負荷発生フラグがＯＮであるか否かを判定する（１１１０）。
【０１３５】
ステップ１１１０の処理で、ＲＡＭ５１の第１除湿負荷発生フラグがＯＮであると判定された場合（１１１０：ＹＥＳ）、前回の第１除湿負荷発生処理で除湿負荷が過剰となっており、今回の第１除湿負荷発生処理で過剰な除湿負荷が解消されたので、プロセッサ５０は、ＲＡＭ５１の第１除湿負荷発生フラグをＯＦＦに設定し、第１除湿負荷解除時刻をＲＡＭ５１に記憶する（１１１１）。
【０１３６】
ステップ１１１０の処理で、ＲＡＭ５１の第１除湿負荷発生フラグがＯＦＦであると判定された場合（１１１０：ＮＯ）、又はステップ１１１１の処理の実行後、プロセッサ５０は勾配異常時間を０に設定し（１１１２）、第１除湿負荷判定処理を終了する。
【０１３７】
図１２は、実施例１の第２除湿負荷判定処理のフローチャートである。
【０１３８】
まず、プロセッサ５０は、ＲＡＭ５１の空調機測定情報の圧縮機運転状態４０２の最新の情報を読み出し、圧縮機２３が運転中であるか否かを判定する（１２０１）。
【０１３９】
ステップ１２０１の処理で圧縮機２３が停止中であると判定された場合（１２０１：ＮＯ）、プロセッサ５０は、第２除湿負荷判定処理を実行せずに、第２除湿負荷判定処理を終了する。
【０１４０】
一方、ステップ１２０１の処理で圧縮機２３が運転中であると判定された場合（１２０１：ＹＥＳ）、プロセッサ５０は、メモリディスク５２に設定されている第２除湿負荷判定処理で用いる各種閾値及び判定条件のうち、運転モードに対応する各種閾値及び判定条件をＲＡＭ５１に読み出す（１２０２）。
【０１４１】
次に、プロセッサ５０は、ステップ９０５の処理で取得した空調機測定情報に含まれる吸込湿度が、ステップ１２０２の処理で読み出された各種閾値に含まれる閾湿度以上であるか否かを判定する（１２０３）。
【０１４２】
ステップ１２０３の処理で、吸込湿度が閾湿度より小さいと判定された場合（１２０３：ＮＯ）、プロセッサ５０は、第２除湿負荷判定処理を終了する。
【０１４３】
一方、ステップ１２０３の処理で、吸込湿度が閾湿度以上であると判定された場合（１２０３：ＹＥＳ）、プロセッサ５０は、ＲＡＭ５１の図７に示す第２除湿負荷判定部１１５が用いる空調機測定情報を参照して、前回の空調機測定情報の取得時刻から今回の空調機測定情報の取得時刻までの間に発生したドレン水量を取得する（１２０４）。空調機測定情報がドレン水量を特定可能な情報を含まない場合、プロセッサ５０は、式１を用いてドレン水量を算出してもよい。
【０１４４】
次に、プロセッサ５０は、式２を用いて実測空間容量（第２除湿負荷）を算出する（１２０５）。実測空間容量の算出方法は、図３で説明したので、詳細な説明は省略する。
【０１４５】
次に、プロセッサ５０は、１日単位の実測空間容量の平均値を算出するために、ステップ１２０５の処理で算出した実測空間容量及び算出時刻をメモリディスク５２に記憶する（１２０６）。なお、１日単位の実測空間容量の平均値は、図９に示すステップ９１１の処理で算出され、１日単位の実測空間容量の平均値が閾値以上となった場合、経年劣化ありと判定される。
【０１４６】
次に、プロセッサ５０は、ステップ１２０４の処理で算出された実測空間容量が、ステップ１２０２の処理で読み出された各種閾値に含まれる閾容量以上であるか否かを判定する（１２０７）。
【０１４７】
ステップ１２０７の処理で、実測空間容量が閾容量以上であると判定された場合（１２０７：ＹＥＳ）、プロセッサ５０は、実測空間容量が閾容量以上となっている時間（容量過剰時間）を算出する（１２０８）。具体的には、プロセッサ５０は、前回の空調機測定情報の取得時刻と今回の空調機測定情報の取得時刻との差分を前回の容量過剰時間に加算した値を今回の容量過剰時間として算出する。なお、容量過剰時間は、ステップ９０３の処理又はステップ１２１４の処理で０に設定される。
【０１４８】
次に、プロセッサ５０は、ステップ１２０８の処理で算出された容量過剰時間が、ステップ１２０２の処理で読み出された各種閾値に含まれる閾時間以上であるか否かを判定する（１２０９）。
【０１４９】
ステップ１２０９の処理で、容量過剰時間が閾時間より小さいと判定された場合（１２０９：ＮＯ）、除湿負荷が未だ過剰ではないので、プロセッサ５０は、第２除湿判定処理を終了する。
【０１５０】
一方、ステップ１２０９の処理で、容量過剰時間が閾時間以上であると判定された場合（１２０９：ＹＥＳ）、プロセッサ５０は、除湿負荷が過剰であると判定し、既に除湿負荷が過剰であったか否かを判定するために、ＲＡＭ５１の第２除湿負荷発生フラグがＯＮであるか否かを判定する（１２１０）。
【０１５１】
ステップ１２１０の処理で、ＲＡＭ５１の第２除湿負荷発生フラグがＯＦＦであると判定された場合（１２１０：ＮＯ）、前回の第２除湿負荷判定処理では除湿負荷が過剰でないと判定されており、今回の第２除湿負荷判定処理で除湿負荷が過剰であると判定されたので、プロセッサ５０は、ＲＡＭ５１の第２除湿負荷発生フラグをＯＮに設定し、第２除湿負荷発生時刻をＲＡＭ５１に記憶し（１２１１）、第２除湿負荷判定処理を終了する。
【０１５２】
一方、ステップ１２１０の処理で、ＲＡＭ５１の容量不足発生フラグがＯＮであると判定された場合（１２１０：ＹＥＳ）、プロセッサ５０は第２除湿負荷判定処理を終了する。
【０１５３】
ステップ１２０７の処理で実測空間容量が閾容量より小さいと判定された場合（１２０７：ＮＯ）、プロセッサ５０は、ＲＡＭ５１の第２除湿負荷発生フラグがＯＮであるか否かを判定する（１２１２）。
【０１５４】
ステップ１２１２の処理で、ＲＡＭ５１の第２除湿負荷発生フラグがＯＮであると判定された場合（１２１２：ＹＥＳ）、前回の第２除湿負荷発生処理で除湿負荷が過剰であって、今回の第２除湿負荷発生処理で過剰な除湿負荷が解消されたので、プロセッサ５０は、ＲＡＭ５１の第２除湿負荷発生フラグをＯＦＦに設定し、第２除湿負荷解除時刻をＲＡＭ５１に記憶する（１２１３）。
【０１５５】
ステップ１２１２の処理で、ＲＡＭ５１の第２除湿負荷発生フラグがＯＦＦであると判定された場合（１２１２：ＮＯ）、又はステップ１２１３の処理の実行後、プロセッサ５０は容量過剰時間を０に設定し（１２１４）、第２除湿負荷判定処理を終了する。
【０１５６】
図１３は、実施例１のユーザリモコン５の表示部７０に表示された警告メッセージの説明図である。
【０１５７】
図９に示すステップ９０９の処理で、容量不足発生フラグ、第１除湿負荷発生フラグ、及び第２除湿負荷発生フラグの少なくとも一つがＯＮとなっている期間中、表示部７０には、警告メッセージ１３００が表示される。警告メッセージ１３００は、空調機７に負荷がかかっていることをユーザに提示するものである。
【０１５８】
本実施例では、冷房又は除湿で空調運転を実施する空調機であって、空調運転を実施する空間の湿度を計測する湿度計測部と、湿度計測部が計測した湿度に基づいて、空間の水分の除去にかかる負荷を示す除湿負荷を算出する除湿負荷算出部と、除湿負荷算出部が算出した除湿負荷に基づいて、負荷が過剰であるか否かを判定する除湿負荷過剰判定部と、除湿負荷過剰判定部が負荷が過剰である判定した場合、負荷が過剰である旨を提示する提示部と、を備えることを特徴とする。これによって、空調機７に専用センサを設けることなく、除湿負荷が過剰であることを検出できる。特に、湿度に着目して除湿負荷を算出するので、外気温と空調運転を実施する空間との温度とが大差ない場合であっても、除湿負荷が過剰であることを検出できる。除湿負荷が過剰である旨をユーザに提示し、ユーザが除湿負荷の原因を解消するように促すので、低コストで効率的な空調運転を実施できる。。
【０１５９】
また、本実施例では、空調運転で発生したドレン水量を取得するドレン水量取得部を備え、除湿負荷算出部は、ドレン水量取得部が取得したドレン水量と湿度計測部が計測した湿度に基づいて、空調運転を実施した空間の容量を示す実測空間容量を除湿負荷として算出することを特徴とする。これによって、実測空間容量の観点から除湿負荷が過剰であることを検出できる。
【０１６０】
また、本実施例では、除湿負荷過剰判定部は、除湿負荷算出部が算出した実測空間容量と、空調機の本来の空調容量とを比較して、負荷が過剰であるか否かを判定することを特徴とする。これによって、本来の空調容量より実測空間容量が大きい場合等に除湿負荷が過剰であることを検出できる。
【０１６１】
また、本実施例では、湿度計測部が第１時刻で計測した第１湿度に基づく第１時刻の空調運転を実施する空間に含まれる第１水分量と、湿度計測部が第１時刻より後の第２時刻で計測した第２湿度に基づく第２時刻の空調運転を実施する空間に含まれる第２水分量との差分を算出し、算出した差分と、第１時刻から第２時刻までの間に発生したドレン水量とに基づいて、実測空間容量を算出することを特徴とする。これによって、正確な実測空間容量を算出できる。
【０１６２】
また、本実施例では、除湿負荷算出部が算出した実測空間容量の時系列変化に基づいて、空調機の経年劣化を検出する履歴判定部を備えることを特徴とする。これによって、空調機７の経年劣化を検出できるので、ユーザに空調機のメンテナンス等を促すことができる。
【０１６３】
また、本実施例では、除湿負荷過剰判定部が、負荷が過剰であることを判定した頻度に基づいて、空調機の容量と空調運転を実施する空間の容量とが不適切である旨を検出する履歴判定部を備えることを特徴とする。これによって、空調機の容量と空調運転を実施する空間の容量とが不適切である旨を検出できるので、ユーザにその旨を提示できる。
【０１６４】
また、空調機が有する圧縮機の運転状態を取得する圧縮機運転状態取得部を備え、除湿負荷算出部は、圧縮機運転状態取得部が取得した圧縮機の運転状態と湿度計測部が計測した湿度に基づいて、空調運転を実施した空間の湿度の変化を除湿負荷として算出することを特徴とする。これによって、湿度の変化の観点から除湿負荷が過剰であることを検出できる。
【実施例２】
【０１６５】
実施例２について図１４〜図１９を用いて説明する。実施例１では、室内機１の室内制御基板１０が負荷判定処理を実行したが、本実施例では、少なくとも一つの室内機１を制御する空調コントローラ（制御装置）６が各室内機１に対して負荷判定処理を実行する。
【０１６６】
図１４は、実施例２の空調システムのシステム構成図である。
【０１６７】
空調システムは、少なくとも一つの室内機１と、少なくとも一つの室外機２と、空調コントローラ６と、サービスサーバ８と、モバイル端末９とを有する。
【０１６８】
空調コントローラ６は、少なくとも一つの室内機１及び少なくとも一つの室外機２に空調通信網４を介して接続され、接続される室内機１及び室外機２を監視し、遠隔制御を実施する。図１４では、空調コントローラ６は、１３台の室内機１に接続され、２台の室外機２に接続される。室外機２は、複数の室内機１に冷媒を提供可能なマルチ型の室外機である。図１４では、上方側に図示する室外機２は、冷媒配管３を介して７台の室内機１に冷媒を提供し、下方側に図示する室外機２は、冷媒配管３を介して６台の室内機１に冷媒を提供する。なお、空調コントローラ６が接続する室内機１の数及び室外機２の数は、図１４に限定されない。
【０１６９】
空調コントローラ６は、ＩＰネットワーク２６を介してサービスサーバ８及びモバイル端末９に接続される。サービスサーバ８は、ビル全体の電気機器を管理する計算機である。モバイル端末９は、例えば、ビル管理者が利用する端末であり、例えば携帯端末である。
【０１７０】
本実施例では、空調コントローラ６が負荷判定処理を実行する。これによって、室内機１の処理負荷を軽減できる。また、空調コントローラ６は、サービスサーバ８及びモバイル端末９等の空調機７以外の機器に負荷判定処理の結果を通知できる。
【０１７１】
図１５は、実施例２の空調コントローラ６のハードウェア構成図である。図１５では、図２に示す室内制御基板１０と同じハードウェア構成は同じ符号を付与し、説明を省略する。
【０１７２】
空調コントローラ６は、プロセッサ５０、ＲＡＭ５１、メモリディスク５２、空調通信網通信ＩＦ１５１、ＩＰネットワーク通信ＩＦ１５２、電源ＩＦ５５、リアルタイムクロック５８、及びユーザ入出力部１５３を有する。プロセッサ５０、ＲＡＭ５１、メモリディスク５２、電源ＩＦ５５、及びリアルタイムクロック５８のハードウェア的な機能は、図２と同じであるので、説明を省略する。
【０１７３】
空調通信網通信ＩＦ１５１は、空調コントローラ６を空調通信網４に接続するインタフェースである。ＩＰネットワーク通信ＩＦ１５２は、空調コントローラ６をＩＰネットワーク２６に接続するインタフェースである。
【０１７４】
ユーザ入出力部１５３は、空調コントローラ６のユーザからの入力を受け付け、また、当該ユーザに画面を表示する。例えば、ユーザ入出力部１５３には、各室内機１の運転状態、設定温度、風量、及び風向き等が表示される。
【０１７５】
図１６は、実施例２の空調コントローラ６及び室内制御基板１０の機能ブロック図である。図１６では、図３に示す室内制御基板１０と同じ機能ブロックは同じ符号を付与し、説明を省略する。
【０１７６】
実施例１では、室内制御基板１０が有していた負荷判定部１１０は、空調コントローラ６が有する。このため、実施例１では、室内制御基板１０内の空調運転管理部１００と負荷判定部１１０との間でデータを入出力していた負荷判定ＩＦ部１０１は、本実施例では、コントローラ通信ＩＦ部１５０に置き換わる。同様に、空調コントローラ６が有する負荷判定部１１０の運転管理ＩＦ部１１１は、室内側熱交換器０に置き換わる。ただし、コントローラ通信ＩＦ部１５０と空調機通信ＩＦ部１２０との間の通信プロトコル及びデータフォーマットは、実施例１の運転管理ＩＦ部１１１と負荷判定ＩＦ部１０１との間の通信プロトコル及びデータフォーマットと異なるが、これらの間のデータ自体は同じである。すなわち、室内制御基板１０のコントローラ通信ＩＦ部１５０から空調機通信ＩＦ部１２０に、空調機測定情報が送信される。
【０１７７】
なお、負荷判定部１１０に対応するプログラムが空調コントローラ６のメモリディスク５２に記憶されており、空調コントローラ６のプロセッサ５０が当該プログラムをＲＡＭ５１に読み出し、実行することによって、負荷判定部１１０は実現される。
【０１７８】
図１７は、実施例２の負荷判定処理のフローチャートである。図１７では、図９に示す処理と同じ処理は、同じ符号を付与して、説明を省略する。図１７では、空調コントローラ６のプロセッサ５０が負荷判定部１１０に対応するプログラムをＲＡＭ５１に読み出し、実行することによって、負荷判定処理を実現する。実施例１の負荷判定処理は所定時間間隔で実行されるが、本実施例の負荷判定処理は室内機１又は室外機２からデータを受信したタイミングで実行される。
【０１７９】
まず、プロセッサ５０は、空調機通信ＩＦ部１２０が室内機１又は室外機２から何らかのデータを受信したか否かを判定する（１７０１）。本実施例では、室内機１及び室外機２は、自身が取得可能な空調機測定情報を所定時間間隔で空調コントローラ６に送信する。また、室内機１がユーザからユーザリモコン５を介して設定入力を受け付けた場合、受け付けた設定入力をイベントデータとして、空調コントローラ６に送信する。
【０１８０】
ステップ１７０１の処理で、室内機１又は室外機２からデータを受信していないと判定された場合（１７０１：ＮＯ）、プロセッサ５０は負荷判定処理を終了する。
【０１８１】
一方、ステップ１７０１の処理で、室内機１又は室外機２からデータを受信したと判定された場合（１７０１：ＹＥＳ）、ステップ９０２の処理に進み、プロセッサ５０は、受信したデータが運転開始入力又は設定値変更入力であるか否かを判定する。
【０１８２】
ステップ９０２の処理で、受信したデータが運転開始入力又は設定値変更入力であると判定された場合（９０２：ＹＥＳ）、ステップ９０３の処理に進み、プロセッサ５０は、ＲＡＭ５１の容量判定処理、第１除湿負荷判定処理、及び第２除湿負荷判定処理が用いる領域を初期化し、負荷判定処理を終了する。
【０１８３】
ステップ９０２の処理で、受信したデータが運転開始入力又は設定値変更入力でないと判定された場合（９０２：ＮＯ）、プロセッサ５０は、受信したデータが空調機測定情報であるか否かを判定する（１７０２）。
【０１８４】
ステップ１７０２の処理で、受信したデータが空調機測定情報でないと判定された場合（１７０２：ＮＯ）、プロセッサ５０は、負荷判定処理を終了する。
【０１８５】
一方、ステップ１７０２の処理で、受信したデータが空調機測定情報であると判定された場合（１７０２：ＹＥＳ）、ステップ９０５の処理に進み、プロセッサ５０は、受信した空調機測定情報をＲＡＭ５１に記憶し、ステップ９０６〜９１１の処理を実行する。
【０１８６】
なお、ステップ９１０の処理において警告メッセージは、空調コントローラ６のユーザ入出力部１５３に表示される。図１８は、実施例２の空調コントローラ６のユーザ入出力部１５３に表示された警告メッセージの説明図である。
【０１８７】
図１８では、ユーザ入出力部１５３の各室内機の運転状態等が表示される領域の下方に警告メッセージ１８００が表示される。警告メッセージ１８００では、容量不足発生フラグ、第１除湿負荷発生フラグ、及び第２除湿負荷発生フラグがＯＮとなった室内機１を特定可能な情報も表示する。図１８に示す警告メッセージ１８００では、室内機ｉ３で過剰な負荷がかかっていることが示される。
【０１８８】
ステップ９１１の処理の実行後、プロセッサ５０は、ユーザ入出力部１５３に表示されるメッセージに変化があったか否かを判定する（１７０３）。例えば、ユーザ入出力部１５３に表示された警告メッセージがステップ９１２の処理で消去された場合、及びステップ９１０の処理でユーザ入出力部１５３に警告メッセージが新たに表示された場合等、ユーザ入出力部１５３に表示されたメッセージに変化があったと判定される。
【０１８９】
ステップ１７０３の処理で、メッセージに変化がなかったと判定された場合（１７０３：ＹＥＳ）、プロセッサ５０は、負荷判定処理を終了する。
【０１９０】
一方、ステップ１７０３の処理で、メッセージに変化があったと判定された場合（１７０３：ＮＯ）、プロセッサ５０は、メモリディスク５２に記憶された別の転送設定アプリケーションの転送処理ルーチンを参照し、メッセージの転送先（サービスサーバ８又はモバイル端末９）が設定されているか否かを判定する（１７０４）。
【０１９１】
ステップ１７０４の処理で、メッセージの転送先が設定されていると判定された場合（１７０４：ＹＥＳ）、プロセッサ５０は、転送処理ルーチンを呼び出し、変化後のメッセージを転送先にＩＰネットワーク通信ＩＦ１５２を介して転送し（１７０５）、負荷判定処理を終了する。
【０１９２】
一方、ステップ１７０４の処理で、メッセージの転送先が設定されていないと判定された場合、プロセッサ５０は、負荷判定処理を終了する。
【０１９３】
転送先となるサービスサーバ８又はモバイル端末９が、ステップ１７０５の処理で転送された変化後のメッセージを受信した場合、メッセージ表示画面１９００（図１９参照）を表示する。
【０１９４】
図１９は、実施例２のメッセージ表示画面１９００の説明図である。
【０１９５】
メッセージ表示画面１９００は、空調コントローラ６のユーザ入出力部１５３に表示されたメッセージを表示する。図１９に示すメッセージ表示画面１９００では、判定履歴処理部１１６が、第２除湿負荷発生履歴の発生頻度に基づいて室内機ｉ７で本来容量が室内の容量にマッチしていない旨のメッセージが表示される。
【０１９６】
これによって、空調コントローラ６のユーザ入出力部１５３を見ることができないメンテナンス業者、及び実際の空調機７のユーザがメッセージを確認できる。
【０１９７】
以上のようにして、空調機に専用にセンサを設置することなく、冷房または除湿運転の想定負荷を検知して、低コストで効率的な運転を推進する空調システムを提供できる。
【０１９８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加、削除、及び置換をすることが可能である。
【０１９９】
また、各実施例の構成の一部について、他の構成の追加、削除、及び置換をすることが可能である。また、上記の各構成、機能、処理部、処理手段等は、それらの一部または全部を、例えば集積回路で設計する等によりハードウェアで実現してもよい。
【０２００】
また、前記の各構成、機能等は、プロセッサがそれぞれの機能を実現するプログラムを解釈し、実行することによりソフトウェアで実現してもよい。
【０２０１】
各機能を実現するプログラム、テーブル、ファイル等の情報は、メモリや、ハードディスク、ＳＳＤ（Solid State Drive）等の記録装置、または、ＩＣ（Integrated Circuit）カード、ＳＤカード、ＤＶＤ（Digital Versatile Disc）等の記録媒体に置くことができる。
【０２０２】
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【０２０３】
１    室内機
１ａ    化粧パネル
１ｂ    吸込口
２    室外機
２ｂ    外気吸込口
２ｃ    排気口
３    冷媒配管
４    空調通信網
５    ユーザリモコン
６    空調コントローラ
７    空調機
８    サービスサーバ
９    モバイル端末
１０    室内制御基板
１１    室内ファン
１２    室内側熱交換器
１３    ドレンパン
１４    ドレンポンプ
１５    ドレン配管
１６    吸込湿度センサ
１７    吸込温度センサ
１８    吹出温度センサ
１９    水量センサ
２０    室外制御基板
２１    室外側熱交換器
２２    室外ファン
２３    圧縮機
２４    絞り装置
２５    外気温度センサ
２６    ＩＰネットワーク
５０    プロセッサ
５１    ＲＡＭ
５２    メモリディスク
５３    リモコン通信ＩＦ
５４    室外機通信ＩＦ
５５    電源ＩＦ
５６    センサ通信ＩＦ
５７    機器通信ＩＦ
５８    リアルタイムクロック
６０    プロセッサ
６１    ＲＡＭ
６２    ＲＯＭ
６３    室内機通信ＩＦ
６４    電源ＩＦ
６５    センサ通信ＩＦ
１００    空調運転管理部
１０１    負荷判定ＩＦ部
１１０    負荷判定部
１１１    運転管理ＩＦ部
１１２    データ処理部
１１３    容量判定部
１１４    第１除湿負荷判定部
１１５    第２除湿負荷判定部
１１６    判定履歴処理部
１２０    空調機通信ＩＦ部
１５０    コントローラ通信ＩＦ部
１５１    空調通信網通信ＩＦ
１５２    ＩＰネットワーク通信ＩＦ
１５３    ユーザ入出力部
【図１】
0006710030.tif 000002
【図２】
0006710030.tif 000003
【図３】
0006710030.tif 000004
【図４】
0006710030.tif 000005
【図５】
0006710030.tif 000006
【図６】
0006710030.tif 000007
【図７】
0006710030.tif 000008
【図８】
0006710030.tif 000009
【図９】
0006710030.tif 000010
【図１０】
0006710030.tif 000011
【図１１】
0006710030.tif 000012
【図１２】
0006710030.tif 000013
【図１３】
0006710030.tif 000014
【図１４】
0006710030.tif 000015
【図１５】
0006710030.tif 000016
【図１６】
0006710030.tif 000017
【図１７】
0006710030.tif 000018
【図１８】
0006710030.tif 000019
【図１９】
0006710030.tif 000020